(57)【要約】本発明は、爪の曲面に一致するアーク型爪切り刃体の製造方法及びこれによる爪切り刃体、並びに爪切りに関する。爪切り刃体を構成する上刃体及び下刃体の一端が、上下が互いに当接するように同じ傾斜角を有して傾斜し、上刃体の下向き傾斜面の内側は、一定の曲率の凹んだ弧が傾斜面に沿って延長されて、刃が形成される端部を垂直一平面に切断し、下刃体の上向き傾斜面の内側は、上側と同じ曲率を有する膨らんだ弧が傾斜面に沿って延長されて、刃が形成される端部を垂直一平面に切断する。上下刃を当接させて同時に垂直一平面に研磨すると、上刃体は凹んだアーク型刃になり、下刃体は膨らんだアーク型刃になって、上下刃の曲線が精巧に一致するアーク型爪切り刃体を構成することが特徴である。【選択図】図４
2009523053.tif 000002
【特許請求の範囲】
【請求項１】
爪切り刃体を構成する上刃体及び下刃体の一端が、上下が互いに当接するように同じ傾斜角を有して傾斜し、前記上刃体の下向き傾斜面の内側は、一定の曲率の凹んだ弧が傾斜面に沿って延長されて、刃が形成される端部を垂直一平面に形成して、前記下刃体の上向き傾斜面の内側は、上側と同じ曲率を有する膨らんだ弧が傾斜面に沿って延長されて、刃が形成される端部を垂直一平面に形成し、上下刃を当接させて同時に垂直一平面に研磨すると、上刃体は凹んだアーク型刃になり、下刃体は膨らんだアーク型刃になることを特徴とするアーク型爪切り刃体の製造方法。
【請求項２】
上刃体及び下刃体で構成される爪切り刃体において、前記上刃体及び下刃体の一端が、上下が互いに当接するように同じ傾斜角を有して傾斜し、前記上刃体の下向き傾斜面の内側は、一定の曲率の凹んだ弧が傾斜面に沿って延長されて、刃が形成される端部を垂直一平面に形成し、前記下刃体の上向き傾斜面の内側は、上側と同じ曲率を有する膨らんだ弧が傾斜面に沿って延長されて、刃が形成される端部を垂直一平面に形成して、上下刃を当接させて同時に垂直一平面に研磨すると、上刃体は凹んだアーク型刃になり、下刃体は膨らんだアーク型刃になることを特徴とするアーク型爪切り刃体。
【請求項３】
前記上刃体及び下刃体は、一側をリベット溶接またはスポット溶接により一体に形成することを特徴とする請求項２に記載のアーク型爪切り刃体。
【請求項４】
前記上刃体及び下刃体は、一側を曲げることにより一体に形成することを特徴とする請求項２に記載のアーク型爪切り刃体。
【請求項５】
爪切り刃体と、該刃体に形成された支軸孔を貫通した支軸を媒介として、てこが形成される爪切りにおいて、
前記爪切り刃体を構成する上刃体及び下刃体の一端が、上下が互いに当接するように同じ傾斜角を有して傾斜し、前記上刃体の下向き傾斜面の内側は、一定の曲率の凹んだ弧が傾斜面に沿って延長されて、刃が形成される端部を垂直一平面に形成し、前記下刃体の上向き傾斜面の内側は、上側と同じ曲率を有する膨らんだ弧が傾斜面に沿って延長されて、刃が形成される端部を垂直一平面に形成して、上下刃を当接させて同時に垂直一平面に研磨すると、上刃体は凹んだアーク型刃になり、下刃体は膨らんだアーク型刃になることを特徴とするアーク型爪切り。
【請求項６】
一側に支軸孔が形成された爪切りボディーと、支軸孔を有し、上刃体及び下刃体で構成された爪切り刃体と、前記爪切りボディーの上部に位置し、支軸を媒介として、刃体及びボディーを介して連結されてテコ作用をするてことを備える爪切りにおいて、
前記爪切り刃体を構成する上刃体及び下刃体の一端が、上下に互いに当接するように同じ傾斜角を有して傾斜し、前記上刃体の下向き傾斜面の内側は、一定の曲率の凹んだ弧が傾斜面に沿って延長されて、刃が形成される端部を垂直一平面に形成し、前記下刃体の上向き傾斜面の内側は、上側と同じ曲率を有する膨らんだ弧が傾斜面に沿って延長されて、刃が形成される端部を垂直一平面に形成して、上下刃を当接させて同時に垂直一平面に研磨すると、上刃体は凹んだアーク型刃になり、下刃体は膨らんだアーク型刃になることを特徴とするアーク型爪切り。
【発明の詳細な説明】
【技術分野】
【０００１】
本発明は、爪切りに関し、特に、爪の曲面に一致するアーク型爪切り刃体の製造方法及びこれによる爪切り刃体、並びに爪切りに関する。
【背景技術】
【０００２】
アーク型爪切りは、刃を正面からみるとき、刃の形がアーク型になっており、爪を切るとき、爪の曲面にほとんど一致する。そのため爪の両端が先に力を受けて、切るときの感じが悪いことや、爪が折れる現象をなくすことが特徴であり、このような形態の刃は、実際に使用するとき、極めて重要なものと思われて、これに関する多数の特許が３０年以前から出願されてきたが、一つの理想的なアイディアにとどまり、実際には、製造上の問題のため、商業化や実用化された製品がなかった。
【０００３】
本発明に係るアーク型爪切りの先行技術として、日本国実開昭４９−８１８１号（１９７４年１月２４）、日本国実開昭４９−１２０４１９号（１９７４年１０月１６日）、日本国実開昭５２−６６５７７号（１９７７年５月１７日）、日本国実開昭５１−１１９９７０（１９７７年９月１２日）、日本国実開昭５４−９８３６９号（１９７９年７月１１日）、日本国実開昭５４−１１６４６８号（１９７９年８月１５日）、日本国特開２００５−７４１３５（２００５年３月２４日）、日本国実開平０１−１４５３０５、米国意匠特許Ｄｅｓ．３７１，６３６号など、多数の特許が出願されている。
【０００４】
前記先行技術の例示の他に、同じアイディアは数多いが、ほとんどが上下の刃先の形状が曲面で当接することを希望するのにとどまっている。先行技術を調査した結果、製造技術上、理想のアーク型爪切りの刃体を製造する内容のものがなかった。すなわち、爪切りの刃体を構成する上下刃体の上下刃先が３次元の空間でどのようにアーク形状をなして正確に噛合うのかが技術的に全く開示されていない。
【０００５】
米国意匠特許Ｄｅｓ．３７１，６３６号において、爪切りの上下刃先が３次元の空間で傾斜したアーク形状をなして、爪の曲面と対応して噛合うようにしたものも、意匠のみで可能なものであり、製造技術上、克服すべき課題を開示していない。
【０００６】
多くの先行技術がアーク型爪切りの刃体の製造技術を開示していないので、今まで商業的に出された製品がない。ただし、日本国特開２００５−７４１３５号は、製造上の難題を最も理解したものであって、使用目的は同じであるが、上下の刃を全く異なる構造として試みたことが特徴である。しかし、上下刃を各々別途に研磨しなければならないため、製造費用が高まる。また使用の際、下刃の厚さの分、爪の下に近接できず、容易に爪を切ることができないという短所がある。
【０００７】
一般的な爪切りは、上下刃体から上下刃が当接するように延長され、傾斜するように成形し、見掛け上、少し凹んだ曲面を有する。
【０００８】
この曲面に一致する直径を有した研磨ローラを用いて、上下刃を同時に研磨して刃を研ぐ。このとき、刃先の曲面の直径と研磨ローラの直径とが同じであれば、刃の前面からみるとき、上下刃が水平に平行になることが普通である。
【０００９】
刃の前面からみるとき、アーク型刃を形成しようとすれば、上刃は中央が凹んだアーク型になり、下刃は中央が膨らんだアーク型刃が形成されて、上下が噛合う線が精巧に一致してこそ、爪が綺麗に切断され得る。しかし上刃体から傾斜して延長された刃体の形状、下刃体から傾斜して延長された刃体の形状、研磨ローラの直径、加工機械の精密度、及び研磨深さの程度によって上下刃のアーク型曲面を一致させることは非常に難しい課題である。
このような多様な変数が結果的に予測し難い方向に上下刃の隙間が空き、使用できない製品が作られる。
【００１０】
ほとんどの先行特許では、アーク型刃の爪切りの概略的な形と有用性に関する技術のみを言及して特許を請求しているが、これは、アイディアに過ぎない。これを実行する具体的な実現方法がないため、今まで実用化されていない。
【特許文献１】日本国実開昭４９−８１８１号（１９７４年１月２４）
【特許文献２】日本国実開昭４９−１２０４１９号（１９７４年１０月１６日）
【特許文献３】日本国実開昭５２−６６５７７号（１９７７年５月１７日）
【特許文献４】日本国実開昭５１−１１９９７０（１９７７年９月１２日）
【特許文献５】日本国実開昭５４−９８３６９号（１９７９年７月１１日）
【特許文献６】日本国実開昭５４−１１６４６８号（１９７９年８月１５日）
【特許文献７】日本国特開２００５−７４１３５（２００５年３月２４日）
【特許文献８】日本国実開平０１−１４５３０５
【特許文献９】米国意匠特許Ｄｅｓ．３７１，６３６号
【発明の開示】
【発明が解決しようとする課題】
【００１１】
爪切りのアーク型上下刃の製造において最も重要な基本条件は、上下刃の研磨深さに対する偏差が十分に許され、かつ、上下刃を同時に研磨して、上下刃が正確に噛合うアーク型刃を形成しなければならないということである。
【００１２】
爪切りの刃の研磨は、手動、半自動、完全自動に分けられ、一般的に、刃先の曲面の直径に一致する研磨ローラを用いて研磨する。手動は、作業者の熟練度によって結果に大きな差が生じ、半自動及び完全自動は、爪切り固定機構の偏差と移送機構の偏差、研磨ベルトの摩耗の程度によって様々な偏差が発生する。
【００１３】
特に、３次元の爪切りのアーク型刃の場合、上下刃を３次元のある空間で一致させることができるとしても、前記基本条件を満たす状態で上下刃の曲面が一致する爪切りの製造はほとんど不可能であった。もちろん、手製品や目的に合わせて、少量に製造することは可能であろうが、均一に多量製造することは、理論的・技術的に裏付けられておらず、今まで実用化され、実際に使用された製品はなかった。
【００１４】
したがって本発明は、２次元上で互いに噛合うアーク型刃が形成されるようにして、上述した基本条件である研磨深さに対する偏差（偏差が基準値の約±０．２ｍｍ以内）が許されながら、上下刃を同時に研磨する条件において上下刃が噛合ったとき、正確に一致することができるアーク型爪切り刃体の製造方法及びこれによる爪切り刃体、並びに爪切りを提供することが目的である。
【課題を解決するための手段】
【００１５】
したがって、本発明は、爪切り刃体と、該刃体に形成された支軸孔を貫通した支軸を媒介として、てこが形成された爪切りにおいて、前記爪切り刃体を構成する上刃体及び下刃体の一端が、上下が互いに当接するように同じ傾斜角を有して傾斜し、前記上刃体の下向き傾斜面の内側は、一定の曲率の凹んだ弧が傾斜面に沿って延長されて、刃が形成される端部を垂直一平面に形成し、前記下刃体の上向き傾斜面の内側は、上側と同じ曲率を有する膨らんだ弧が傾斜面に沿って延長されて、刃が形成される端部を垂直一平面に形成して、上下刃を当接させて同時に垂直一平面に研磨すると、上刃体は凹んだアーク型刃になり、下刃体は膨らんだアーク型刃になって、上下刃の曲線が精巧に一致するアーク型爪切りを構成することを特徴とする。
【００１６】
また、本発明は、一側に支軸孔が形成された爪切りボディーと、支軸孔を有し、上刃体及び下刃体で構成された爪切り刃体と、前記爪切りボディーの上部に位置し、支軸を媒介として、刃体及びボディーを介して連結されてテコ作用をするてこを備える爪切りにおいて、前記爪切り刃体を構成する上刃体及び下刃体の一端が、上下に互いに当接するように同じ傾斜角を有して傾斜し、前記上刃体の下向き傾斜面の内側は、一定の曲率の凹んだ弧が傾斜面に沿って延長されて、刃が形成される端部を垂直一平面に形成し、前記下刃体の上向き傾斜面の内側は、上側と同じ曲率を有する膨らんだ弧が傾斜面に沿って延長されて、刃が形成される端部を垂直一平面に形成して、上下刃を当接させて同時に垂直一平面に研磨すると、上刃体は凹んだアーク型刃になり、下刃体は膨らんだ刃になって、上下刃の曲線が精巧に一致するアーク型爪切りを構成することを特徴とする。
【発明の効果】
【００１７】
本発明のアーク型刃体、そしてアーク型爪切りによれば、上下アーク刃を当接させて同時に垂直一平面に研磨すると、上刃は凹んだアーク型曲面になり、下刃は膨らんだアーク型刃になって、上下の刃が精巧に一致するアーク型爪切り刃を製造することができる。
【００１８】
特に、研磨深さの偏差にかかわらず、上下アーク型刃の曲線が変わらないため、結果的に隙間ができない精巧な製品が製造され、これを一定に多量に製造できる効果がある。
【発明を実施するための最良の形態】
【００１９】
以下、添付された図面を参照して、本発明の好ましい実施形態を詳細に説明する。
【００２０】
図１Ａは、本発明の一実施形態であるアーク型爪切り１００の斜視図であり、図１Ｂは、図１Ａに示された爪切り刃体の正面図であり、図２Ａは、本発明の他の一実施形態であるアーク型爪切り２００の斜視図であり、図２Ｂは、図２Ａに示された爪切り刃体の正面図である。
【００２１】
図１Ａに一実施形態として示された爪切り１００は、爪切り刃体１０と、この刃体１０に形成された支軸孔３１を貫通した支軸１１０を媒介として、てこ１２０を形成して構成される。
【００２２】
図２Ａに他の実施形態として示された爪切り２００は、一側に支軸孔２１１が形成された爪切りボディー２１０と、支軸孔３１を有し、上刃体１１と下刃体２１とで構成された爪切り刃体１０と、前記爪切りボディー２１０の上部に位置し、支持軸２２０を媒介として、刃体１０とボディー２１０とを介して連結されてテコ作用をするてこ２３０が形成され、前記爪切り刃体１０が支軸２２０を中心として、ボディー２１０で３６０℃回転可能なように構成したものである。
【００２３】
上記において、図１Ａに例示された爪切り刃体１０は、上刃体１１及び下刃２１で構成され、一端をスポット溶接などの固定手段として構成したものであり、図２Ａに例示された爪切り刃体１０は、上刃体１１及び下刃体２１の一側を曲げることによって一体に形成したものを例示したものである。
【００２４】
図１Ａに例示した爪切り刃体１０は、上刃体１１及び下刃体２１を各々プレス工程において製造した後、これをスポット溶接により一体化させたものである。図２Ａに示された爪切り刃体１０の場合、上刃体１１及び下刃体２１をプレス工程において曲げることにより一つに構成したものである。本発明は、前記２種類の形の爪切り刃体１０の実施形態において、アーク型刃を形成する技術を実現することができ、以後、図面を参考して説明する爪切り刃体の図面符号は全て同じ符号“１０”と記載する。
【００２５】
前記爪切り刃体１０は、上刃体１１及び下刃体２１で構成される。上下刃体１１、２１の一端の上下が互いに当接するように同じ傾斜角を有して傾斜するように形成される。
【００２６】
前記上刃体１１の下向き傾斜面５５の内側は、一定の曲率の凹んだ弧が傾斜面に沿って延長され、刃５３が形成される端部を垂直一平面に形成し、前記下刃体２１の上向き傾斜面５６の内側は、上側と同じ曲率を有する膨らんだ弧が傾斜面に沿って延長される。前記下刃体２１の端部は、アーク型刃５４が形成される垂直面に形成される。上下刃５３、５４が当接するときに垂直一平面を同時に研磨すると、上刃体１１は、凹んだアーク型刃５３になり、下刃体２１は、膨らんだアーク型刃５４になって、上下刃の曲線が精巧に一致するアーク型爪切り１００又は２００を形成する。
【００２７】
図３は、本発明のアーク型爪切り刃の原理を示す図である。例えば、円筒は縦方向に二つの部分に分けられる。円筒の半分はＡ１で示され、残りの半分はＡ２で示される。前記Ａ１の直径Ｒ１はもう半分の円筒Ａ２の直径Ｒ２と同一である。Ａ１とＡ２を左右対称に直立させたとき、図３に関連して、刃の中央交差点Ｐを基準に一つは左側に一定角度ａ°回転すると、もう一つは対称となる右側にａ´°回転する。それから刃の端は半分の円筒Ａ１、Ａ２共々、刃の中央交差点Ｐを基準に垂直一平面ＶＰに沿って切断され、図３のように左側の切断した部分を取り除く。すると上刃体１１の凹傾斜面５２の内側表面は、半分の円筒Ａ１のアーク内側の傾斜に沿って凹んだアーク型に形成され、下刃体２１の傾斜面５１の内側表面は、もう半分の円筒Ａ２のアークの膨らんだ斜面に沿って、膨らんだアーク型が形成される。そのため凹んだアーク型に形成された上刃体１１の凹傾斜面は、膨らんだアーク型に形成された下刃体２１の斜面５１と接する。
【００２８】
図４は、本発明のアーク型爪切りの刃体を説明する図である。Ａとして示された部分は、爪切り刃体の側面図であり、Ｂは、下刃体２１の内側面の凸傾斜面５１を示したものであり、Ｃは、上刃体１１の内側面の凹傾斜面５２を示したものであり、Ｄは、Ａの正面図、ＥとＦは、Ａの平面図及び底面図を示したものである。
【００２９】
図４〜図５Ｂに示すように、上刃体１１の先端の外側には、傾斜に沿って凸面５５を形成し、内側には、凹傾斜面５２を形成し、下刃体２１の先端の外側には、傾斜に沿って凹面５６を形成し、内側には、凸傾斜面５１を形成する。これにより、下部刃を形成する凸傾斜面５１と上部刃を形成する凹傾斜面５２とがそれぞれ半円筒曲面の直径Ｒ１、Ｒ２で構成される。このとき、半円筒曲面の直径Ｒ１、Ｒ２は、必ず一致してこそ、図４のＤとして示すように、上部凹アーク刃５３と下部凸アーク刃５４とが噛み合うように形成される。
【００３０】
図５Ａは、上刃体１１の凹傾斜面５２が円筒Ａ１の内側面と同じ概念であり、図５Ｂは、下刃体２１の凸傾斜面５１が円筒Ａ２の外側面と同じ概念であり、半円筒のＡ１とＡ２は同一の直径でなければならない。
【００３１】
図６Ａは、上刃体１１の端部を、垂直一平面ＶＰを基準に切断し、垂直一平面ＶＰと接する切断面を正面からみた図であり、図６Ｂは、下刃体２１の端部を、垂直一平面ＶＰを基準に切断し、垂直一平面ＶＰと接する切断面を正面から見た図である。図７Ａは、完全に切断された上刃体１１の端の内部図であり、図７Ｂは、完全に切断された下刃体２１の端の内部図である。
【００３２】
図８において、上下刃体１１、２１の凹アーク刃５３と凸アーク刃５４とが噛み合うとき、垂直一平面ＶＰが研磨偏差範囲内で更に刃体１１、２１の方に移動することで、上下刃５３、５４が同時に研磨されて上下が一致する。また、図８は垂直一平面ＶＰと接する刃部位の正面図である。
【００３３】
一方、前述した上刃体１１の先端の外側には、傾斜に沿って凸面５５が形成され、下刃体２１の先端の外側には、傾斜に沿って凹面５６を形成する。これは、下刃体２１の凹面５６によって、爪切りを効果的に、楽に爪の下にあわせられる。
【００３４】
このように本発明は、上刃体１１及び下刃体２１において、刃を最終的に形成する内側の傾斜面が上下において同じ傾斜角を有し、かつ、同時に同じ直径を有する凹傾斜面５２及び凸傾斜面５１を形成することにより、凹アーク刃５３及び凸アーク刃５４が２次元上の垂直一平面に精巧に噛み合うアーク型爪切りを実現している。
【００３５】
以上のように、本発明は好ましい実施形態を用いて説明された。しかし、本発明はこれに限定されるものではない。それどころか本発明の属する分野の技術を習得している人間、もしくはその分野の将来の技術またはそれに同等なものの範囲内で、さまざまな修正及び変形が可能である。よって、請求の範囲は修正やそれに似た処理すべてを網羅する最も広義な解釈がふさわしい。
【図面の簡単な説明】
【００３６】
本明細書に添付される次の図面は、本発明の好ましい実施形態を例示するものであり、本発明は、こうした図面に記載された事項にのみ限定して解釈されてはいけない。
【００３７】
【図１Ａ】本発明の一実施形態であるアーク型爪切りの斜視図である。
【図１Ｂ】図１Ａに示された爪切り刃体の正面図である。
【図２Ａ】本発明の他の一実施形態であるアーク型爪切りの斜視図である。
【図２Ｂ】図２Ａに示された爪切り刃体の正面図である。
【図３】本発明のアーク型爪切り刃体の原理図である。
【図４】本発明のアーク型爪切り刃体の説明図である。
【図５Ａ】本発明の上刃体の内側傾斜面を示す一部切断斜視図である。
【図５Ｂ】本発明の下刃体の内側傾斜面を示す一部切断斜視図である。
【図６Ａ】本発明の上刃体の端部を、垂直一平面を基準に切ることを示しており、垂直一平面と接する切断面を正面からみた図である。
【図６Ｂ】下刃体の端部を、垂直一平面を基準に切ることを示しており、垂直一平面と接する切断面を正面からみた図である。
【図７Ａ】本発明の上刃体の傾斜面の端部が、切断の完了した刃を内側で示している一部切断斜視図である。
【図７Ｂ】下刃体の傾斜面の端部が、切断の完了した刃を内側で示している一部切断斜視図である。
【図８】本発明の上下刃体の刃が噛み合い、垂直一平面に同時に研磨して上下が一致するアーク型刃を示した図である。
【図１ａ】
2009523053.tif 000003
【図１ｂ】
2009523053.tif 000004
【図２ａ】
2009523053.tif 000005
【図２ｂ】
2009523053.tif 000006
【図３】
2009523053.tif 000007
【図４】
2009523053.tif 000008
【図５ａ】
2009523053.tif 000009
【図５ｂ】
2009523053.tif 000010
【図６ａ】
2009523053.tif 000011
【図６ｂ】
2009523053.tif 000012
【図７ａ】
2009523053.tif 000013
【図７ｂ】
2009523053.tif 000014
【図８】
2009523053.tif 000015
【国際調査報告】
2009523053.tif 000016
2009523053.tif 000017